Podtech/llm-jp-corpus-v4-ja_patent huggingface dataset:
【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
ＭＲデバイスの検査ボリューム内に置かれた物体をＭＲ撮像する方法であって、前記方法は、
一連のリフォーカシングＲＦパルスを含む撮像シーケンスに、前記物体をさらすステップであって、２つの連続リフォーカシングＲＦパルス間の各時間間隔において１対のエコー信号が生成される、前記ステップと、
バイポーラ読み出し傾斜磁場を使用して、前記物体から前記１対のエコー信号を収集するステップと、
水プロトン及び脂肪プロトンからの信号寄与が分離されるように、収集したエコー信号から、ＭＲ画像を再構成するステップと、
を含み、
各対のエコー信号は、仮想エコー信号にまとめられ、水プロトン及び脂肪プロトンからの信号寄与は、前記仮想エコー信号を使用する１ポイントディクソン法によって分離される、方法。
【請求項２】
各仮想エコー信号は、各対のエコー信号のうちのエコー信号を位相補正及び平均化することによって計算される、請求項１に記載の方法。
【請求項３】
位相エンコード傾斜磁場が、前記撮像シーケンスによって生成される各対のエコー信号のうちの２つのエコー信号間で切り替えられる、請求項１に記載の方法。
【請求項４】
各対のエコー信号は２回収集され、毎回、同じ位相エンコード法を用いるが、前記リフォーカシングＲＦパルスの逆位相を用いる、請求項３に記載の方法。
【請求項５】
ＭＲデバイスの検査ボリューム内に置かれた物体をＭＲ撮像する方法であって、前記方法は、
一連のリフォーカシングＲＦパルスを含む第１の撮像シーケンスに、前記物体をさらすステップであって、２つの連続リフォーカシングＲＦパルス間の各時間間隔においてシングルエコー信号が生成される、前記ステップと、
ユニポーラ読み出し傾斜磁場を使用して、第１の受信バンド幅において、前記物体からエコー信号を収集するステップと、
一連のリフォーカシングＲＦパルスを含む第２の撮像シーケンスに、前記物体をさらすステップであって、２つの連続リフォーカシングＲＦパルス間の各時間間隔において１対のエコー信号が生成される、前記ステップと、
バイポーラ読み出し傾斜磁場を使用して、第２の受信バンド幅において、前記物体から１対のエコー信号を収集するステップと、
水プロトン及び脂肪プロトンからの信号寄与が分離されるように、収集したエコー信号から、ＭＲ画像を再構成するステップと、
を含み、
前記第２の受信バンド幅は、前記第１の受信バンド幅よりも高い、方法。
【請求項６】
前記バイポーラ読み出し傾斜磁場は、ユニポーラ読み出し傾斜磁場よりも強い、請求項１に記載の方法。
【請求項７】
各対のエコー信号は、仮想エコー信号にまとめられ、水プロトン及び脂肪プロトンからの信号寄与は、前記仮想エコー信号及び第１の撮像シーケンスによって生成されるエコー信号を使用する２ポイントディクソン法によって分離される、請求項５又は６に記載の方法。
【請求項８】
各仮想エコー信号は、各対のエコー信号のうちのエコー信号を位相補正及び平均化することによって計算される、請求項７に記載の方法。
【請求項９】
水プロトン及び脂肪プロトンからの信号寄与は、第１の撮像シーケンス及び第２の撮像シーケンスによって生成されるエコー信号を使用する３ポイントディクソン法によって分離される、請求項５又は６に記載の方法。
【請求項１０】
位相エンコード傾斜磁場が、第２の撮像シーケンスによって生成される各対のエコー信号のうちの２つのエコー信号間で切り替えられる、請求項５又は６に記載の方法。
【請求項１１】
各対のエコー信号は２回収集され、毎回、同じ位相エンコード法を用いるが、前記リフォーカシングＲＦパルスの逆位相を用いる、請求項１０に記載の方法。
【請求項１２】
同じ位相エンコード法であるが、前記リフォーカシングＲＦパルスの逆位相を用いて収集される対のエコー信号を比較することによって、ＦＩＤアーチファクト情報が導出され、前記ＦＩＤアーチファクト情報は、前記第１の撮像シーケンスによって生成される収集されたエコー信号におけるＦＩＤアーチファクトを補正するために適用される、請求項７に記載の方法。
【請求項１３】
検査ボリューム内に均一静磁場を発生させる少なくとも１つの主磁石コイルと、
前記検査ボリューム内の様々な空間方向において切り替え傾斜磁場を発生させる幾つかの傾斜磁場コイルと、
前記検査ボリューム内にＲＦパルスを発生させるか及び／又は前記検査ボリューム内に置かれた物体からのＭＲ信号を受信する少なくとも１つのＲＦコイルと、
ＲＦパルス及び切り替え傾斜磁場の時間的連続を制御する制御ユニットと、受信した前記ＭＲ信号からＭＲ画像を再構成する再構成ユニットと、
を含み、
請求項１から１２の何れか一項に記載の方法のステップを行う、ＭＲデバイス。
【請求項１４】
請求項１から１２の何れか一項に記載の方法を実行するための命令を含む、ＭＲデバイス上で実行される、コンピュータプログラム。
【手続補正書】
【提出日】令和2年5月21日(2020.5.21)
【手続補正１】
【補正対象書類名】特許請求の範囲
【補正対象項目名】全文
【補正方法】変更
【補正の内容】
【特許請求の範囲】
【請求項１】
健康監視のための方法において、
健康監視デバイスの測定プローブに設けられた１つ又は複数のセンサを介して身体組成を測定するステップと、
前記測定された身体組成を複数のカテゴリの１つに分類するステップと、
前記分類された身体組成に基づき、前記健康監視に関連する健康監視デバイスの少なくとも１つの動作パラメータを調整するステップと、
前記少なくとも１つの動作パラメータで調整された前記健康監視デバイスの測定プローブを使用して健康監視測定を実行するステップとを有する、方法。
【請求項２】
前記健康監視が、胎児監視である、請求項１に記載の方法。
【請求項３】
前記身体組成を測定するステップが、体脂肪厚を測定するステップを有する、請求項１に記載の方法。
【請求項４】
前記体脂肪厚が、パルスエコーモードにおける超音波ドップラーセンサを用いて測定される、請求項３に記載の方法。
【請求項５】
前記体脂肪厚が、赤外線送信機及び赤外線受信機を用いて測定される、請求項３に記載の方法。
【請求項６】
前記体脂肪厚が、超音波ドップラーセンサ及び赤外線センサの組み合わせを用いて測定される、請求項３に記載の方法。
【請求項７】
前記体脂肪厚が、第１の超音波アレイを使用して測定され、前記監視デバイスの測定プローブを使用して前記健康監視測定を実行するステップが、第２の超音波アレイを使用して実行される、請求項３に記載の方法。
【請求項８】
健康監視のためのシステムであって、
ユーザデバイスと通信する超音波デバイスを有し、
前記超音波デバイスが、電源、通信モジュール、メモリ、プロセッサ、及びトランスデューサアレイを含み、前記トランスデューサアレイは、ドップラー信号を受信する複数のトランスデューサ要素を持ち、
前記超音波デバイスが、受信された超音波情報をユーザデバイスに送信するために変換するように動作可能であり、
前記ユーザデバイスは、プロセッサ、ディスプレイ、及びメモリを含み、
前記ユーザデバイスは、実行されるとき、
前記超音波情報を受信し、
前記受信された超音波情報から身体分類を決定し、
前記身体分類を前記超音波デバイスに送信するよう動作する命令を前記ユーザデバイスメモリに持ち、
前記超音波デバイスが、前記決定された身体分類に基づき動作パラメータを変更する、システム。
【請求項９】
前記動作パラメータが、超音波送信エネルギー、増幅器利得適応及び深度設定の少なくとも１つを含む、請求項８に記載のシステム。
【請求項１０】
前記身体分類が、脂肪層の厚さに基づかれる、請求項８に記載のシステム。
【請求項１１】
前記超音波デバイスが、脂肪層の厚さを決定するための第１のモード及び第２の患者監視モードで動作する、請求項１０に記載のシステム。
【請求項１２】
前記第１のモードが、パルスエコーモードであり、前記第２のモードは、パルスドップラーモードである、請求項１１に記載のシステム。
【請求項１３】
前記超音波デバイスが、少なくとも１つのＩＲセンサを更に有し、前記超音波デバイスの前記少なくとも１つのＩＲセンサは、体脂肪厚信号を取得するように動作可能であり、前記ユーザデバイスが、前記体脂肪厚信号を受信し、前記体脂肪厚信号に基づき前記身体分類を修正するように動作可能である、請求項８に記載のシステム。
【請求項１４】
前記少なくとも１つのＩＲセンサが、ＩＲ受信機及びＩＲ送信機である、請求項１３に記載のシステム。
【請求項１５】
前記ユーザデバイスが、実行されるとき、
前記体脂肪厚信号に基づきＩＲ体脂肪厚を決定し、
前記受信された超音波情報に基づき、超音波体脂肪厚を決定し、
前記超音波体脂肪厚及び前記ＩＲ体脂肪厚に基づき平均体脂肪厚値を計算し、
前記平均体脂肪厚値に基づき前記身体分類を決定するよう動作する命令を前記ユーザデバイスメモリに持つ、請求項１４に記載のシステム。
【手続補正書】
【提出日】令和2年6月4日(2020.6.4)
【手続補正１】
【補正対象書類名】特許請求の範囲
【補正対象項目名】全文
【補正方法】変更
【補正の内容】
【特許請求の範囲】
【請求項１】
１つ又は複数のＸ線不透過部を備え、対象者の内腔を通って移動する管腔内デバイスと、
出力装置と、
少なくとも１つのコンピュータ処理装置と
を備え、前記コンピュータ処理装置は、
前記管腔内デバイスが前記内腔を通って移動する間に、前記内腔が置かれている前記対象者の体の一部のＸ線画像のシーケンスを、管腔外Ｘ線撮像装置から受信し、
前記Ｘ線画像のシーケンスを分析することによって、前記内腔を通って前記管腔内デバイスが移動する間に、前記管腔内デバイスの前記１つ又は複数のＸ線不透過部が撮像された位置を識別し、
識別された前記位置のサブセットのそれぞれの部分が、前記識別された位置の前記サブセットの他の少なくとも１つの部分の所与の距離の範囲内に置かれるように、前記識別された位置の前記サブセットを識別することによって、前記内腔を通って前記管腔内デバイスが移動する間に、前記管腔内デバイスの前記１つ又は複数のＸ線不透過部が置かれた位置のセットを画定し、
画定された前記位置のセットに基づいて、前記内腔を通る前記管腔内デバイスの管腔内経路を推定し、
前記出力装置上に出力を生成する、
装置。
【請求項２】
前記内腔は、動きを受ける前記対象者の内腔を含み、前記コンピュータ処理装置は、前記動きを受ける内腔を通る前記管腔内デバイスの前記管腔内経路を推定する、請求項１に記載の装置。
【請求項３】
前記コンピュータ処理装置は、推定された前記管腔内経路に基づいて、取得した追加画像と取得した前記Ｘ線画像のシーケンスとの間の前記対象者の体の一部の前記位置の変化を考慮に入れることによって、前記対象者の体の一部の現在の前記位置を、前記対象者の体の前記一部の前記追加画像に合せ込みする、請求項１に記載の装置。
【請求項４】
前記コンピュータ処理装置は、複数の前記Ｘ線画像を分析することによって、前記内腔を通る前記管腔内デバイスの前記管腔内経路のそれぞれの部分を短縮する程度を判定する、請求項１に記載の装置。
【請求項５】
前記内腔は、前記対象者の生理的周期の結果として周期的に動かされる内腔を含み、前記コンピュータ処理装置は、前記対象者の生理的周期の所与の位相で前記管腔内デバイスの前記１つ又は複数のＸ線不透過部が撮像された位置のセットを識別することによって前記位置のセットを画定する、請求項１に記載の装置。
【請求項６】
前記コンピュータ処理装置は、
前記内腔が可視である前記内腔の画像を受信し、
受信した前記内腔の前記画像内に、前記内腔の中心線の指示を受信し、
前記内腔を通る前記管腔内デバイスの推定された前記管腔内経路に沿ったそれぞれの位置を、受信した前記内腔の前記画像内の前記内腔の前記中心線に沿ったそれぞれの位置に、合せ込みする、請求項１に記載の装置。
【請求項７】
前記コンピュータ処理装置は、
前記内腔が可視である前記内腔の画像を受信し、
受信した前記内腔の画像内の前記内腔の中心線の指示を受信し、
前記位置のセットを前記内腔の中心線と共に使用して、前記内腔を通る前記管腔内デバイスの前記管腔内経路を推定することにより、前記内腔を通る前記管腔内デバイスの前記管腔内経路を推定する、請求項１に記載の装置。
【請求項８】
前記管腔内デバイスは、前記内腔に沿ったそれぞれの位置での複数の管腔内データのセットを取得する管腔内データ取得デバイスを含み、前記コンピュータ処理装置は、それぞれの前記管腔内データのセットを、前記内腔を通る前記管腔内デバイスの推定された前記管腔内経路に沿ったそれぞれの位置に合せ込みする、請求項１から７のいずれか一項に記載の装置。
【請求項９】
前記コンピュータ処理装置は、
前記内腔が可視である前記内腔の画像を受信し、
それぞれの前記管腔内データのセットの、前記内腔を通る前記管腔内デバイスの推定された前記管腔内経路に沿ったそれぞれの前記位置への合せ込みに基づいて、それぞれの前記管腔内データのセットを、受信した前記画像内の前記内腔に沿ったそれぞれの位置に合せ込みする、請求項８に記載の装置。
【請求項１０】
前記コンピュータ処理装置は、それぞれの前記管腔内データのセットの、前記内腔を通る前記管腔内デバイスの推定された前記管腔内経路に沿ったそれぞれの前記位置への合せ込みに基づいて、前記内腔を通る前記管腔内デバイスの推定された前記管腔内経路に沿ったそれぞれの位置で、前記内腔の直径を判定する、請求項８に記載の装置。
【請求項１１】
前記コンピュータ処理装置は、判定された前記内腔の直径に基づいて、前記内腔を通る前記管腔内デバイスの推定された前記管腔内経路に沿った病変の位置を識別する、請求項１０に記載の装置。
【請求項１２】
前記コンピュータ処理装置は、前記管腔内デバイスの前記Ｘ線不透過部が識別された画像を、互いに重ね合わせることにより、識別された前記位置が統合された位置のセットを形成する合成画像を生成することによって、前記位置のセットを画定する、請求項１から７のいずれか一項に記載の装置。
【請求項１３】
前記コンピュータ処理装置は、
前記Ｘ線画像のシーケンス内のＸ線不透過部の特徴が撮像された、前記合成画像内の１つ又は複数の位置が、前記管腔内デバイスの前記Ｘ線不透過部が置かれた位置に対応しないことを識別し、
前記位置のセットから前記１つ又は複数の位置を除外することにより、前記位置のセットを画定する、請求項１２に記載の装置。
【請求項１４】
プログラム命令のセットを格納する非一時的なコンピュータ可読媒体であって、前記プログラム命令は、コンピュータによって読み出されるとき、Ｘ線画像のシーケンスを分析することによって、内腔を通って管腔内デバイスが移動する間に、前記管腔内デバイスの１つ又は複数のＸ線不透過部が撮像された位置を識別するステップと、識別された前記位置のサブセットのそれぞれの部分が、前記識別された位置の前記サブセットの他の少なくとも１つの部分の所与の距離の範囲内に置かれるように、前記識別された位置の前記サブセットを識別することによって、前記内腔を通って前記管腔内デバイスが移動する間に、前記管腔内デバイスの前記１つ又は複数のＸ線不透過部が置かれた位置のセットを画定するステップと、前記内腔を通る前記管腔内デバイスの管腔内経路を画定された前記位置のセットに基づいて推定するステップと、出力装置上に出力を生成するステップとを、前記コンピュータに実行させる、非一時的なコンピュータ可読媒体。
【手続補正書】
【提出日】令和2年5月21日(2020.5.21)
【手続補正１】
【補正対象書類名】特許請求の範囲
【補正対象項目名】全文
【補正方法】変更
【補正の内容】
【特許請求の範囲】
【請求項１】
呼吸療法を必要としている特定の患者に対しカスタマイズされたヘッドギアの構成を生成する方法であり、前記ヘッドギアは、複数の物理的特徴を持つ、及び前記患者の気道に呼吸ガスのフローを供給するマスク構成要素と共に使用可能であり、前記方法は、
前記患者の頭部に関する１つ以上のパラメタを受け取るステップ、
前記複数の物理的特徴の１つの物理的特徴の長さ、及び前記複数の物理的特徴の一対の物理的特徴間の角度の少なくとも１つを決定するために、少なくとも前記パラメタの幾つかを１つ以上のアルゴリズムに受けさせるステップ、
形成されるとき、少なくとも前記ヘッドギアの一部を組み立てるために使用可能である少なくとも本体の一部の輪郭を生成するステップであり、前記輪郭は、前記複数の物理的特徴の１つの物理的特徴の長さ、及び前記複数の物理的特徴の一対の物理的特徴間の角度の少なくとも１つを含む、前記生成するステップ、並びに
可視であり、前記輪郭を有するパターンを出力するステップであり、前記パターンは、少なくとも第１の材料の少なくとも第１のシートから、前記少なくとも本体の一部の形成を可能にするために使用可能である、前記出力するステップ
を有する方法。
【請求項２】
ストラップが取り付けられるように各々構成される１つ以上の付着点、及び１つ以上のストラップの少なくとも１つを、前記複数の物理的特徴の前記物理的特徴の少なくとも幾つかとして有するように、少なくとも前記本体の一部を形成するステップ、並びに
前記物理的特徴の前記少なくとも幾つかを、少なくとも前記パターンの一部として出力するステップ
を有する請求項１に記載の方法。
【請求項３】
前記輪郭から切り離されている、及び材料のシートから少なくとも第１のストラップを、前記本体とは切り離して形成することを可能にするために使用可能である、少なくとも第１のストラップの外周をさらに含むように、前記パターンを構成するステップをさらに有し、前記少なくとも第１のストラップは、１つ以上の付着点の中から１つの付着点に取り付けられるように構成される、請求項２に記載の方法。
【請求項４】
パターンを基板上に刻印することにより、前記パターンを出力するステップをさらに有する、請求項３に記載の方法。
【請求項５】
提案される材料の表を出力するステップをさらに有する、請求項４に記載の方法。
【請求項６】
前記１つ以上のパラメタを前記患者から受け取るステップをさらに有する、請求項４に記載の方法。
【請求項７】
前記少なくとも第１のストラップの外周の端部の近傍において、前記パターンにしるしのインスタンスを刻印するステップ、及び
前記付着点に対応する前記輪郭の一部の近傍において、前記パターンに前記しるしのもう１つのインスタンスを刻印するステップ
をさらに有する請求項４に記載の方法。
【請求項８】
ベースを有する、及び前記物理的特徴の前記少なくとも幾つかとして、
前記ベースから離れるように延在する複数のストラップであり、前記複数のストラップの一対のストラップは各々長軸を持つ、前記複数のストラップ、
ストラップがそこに取り付けられるように各々が構成される複数の付着点であり、前記複数の付着点の一対の付着点は、前記ベースから突出する方向に沿って各々突出している、前記複数の付着点、並びに
互いに前記角度で配向されている、前記一対のストラップの１つのストラップの前記長軸、及び前記一対の付着点の１つの付着点の前記突出する方向
を有するように、少なくとも前記本体の一部を構成するステップをさらに有する請求項７に記載の方法。
【請求項９】
前記一対のストラップの前記長軸は、互いにもう１つの角度で配向されるような前記物理的特徴の前記少なくとも幾つかをさらに構成するステップをさらに有し、前記もう１つの角度は、前記１つ以上のパラメタの少なくとも一部に少なくとも部分的に基づいている、請求項８に記載の方法。
【請求項１０】
前記一対のストラップは各々前記長さであるような前記物理的特徴の前記少なくとも幾つかをさらに構成するステップを、さらに有する請求項８に記載の方法。
【請求項１１】
前記複数の付着点のもう１つの一対の付着点が前記長さに等しい前記ベースからの距離で前記一対の付着点に置かれるような前記物理的特徴の前記少なくとも幾つかをさらに構成するステップをさらに有する、請求項１０に記載の方法。
【請求項１２】
少なくとも第１のストラップは、各々が前記１つ以上のパラメタの少なくとも一部に少なくとも部分的に基づいている既定の長さであるもう１つの一対のストラップであるような前記物理的特徴の前記少なくとも幾つかを構成するステップもさらに有し、前記もう１つの一対のストラップの各ストラップは、前記もう１つの一対の付着点の対応する付着点に取り付けられるように構成される、請求項１１に記載の方法。
【請求項１３】
前記もう１つの一対の付着点の反対側にある自由端において前記もう１つの一対のストラップに取り付けられるように構成される一対の付着装置をさらに有するような前記物理的特徴の前記少なくとも幾つかをさらに構成するステップをさらに有する請求項１１に記載の方法において、前記一対の付着装置の各々の付着装置は、前記付着装置が置かれている前記もう一対のストラップの対応するストラップの前記自由端が折り返され、その中間部分に沿った位置において、前記対応するストラップに取り付けられることを可能にする、方法。
【請求項１４】
前記パターンが出力及び組み立てられる複数の場所の中から１つの場所を選択するオプションを患者に提示するステップをさらに有する請求項６に記載の方法。
【請求項１５】
請求項１の方法に従って形成されるヘッドギア。
【手続補正書】
【提出日】令和2年5月13日(2020.5.13)
【手続補正１】
【補正対象書類名】特許請求の範囲
【補正対象項目名】請求項２
【補正方法】変更
【補正の内容】
【請求項２】
印刷導体および基材の前記接続は、機械的接合、接着、または溶接によってなされることを特徴とする請求項１に記載の方法。
【誤訳訂正書】
【提出日】令和2年8月5日(2020.8.5)
【誤訳訂正１】
【訂正対象書類名】特許請求の範囲
【訂正対象項目名】全文
【訂正方法】変更
【訂正の内容】
【特許請求の範囲】
【請求項１】
フィルタフレームと、
前記フィルタフレームに保持されたフィルタであって、前記フィルタを通過するイオンビームによって照射されるように構成された前記フィルタと、を備え、
前記フィルタは、ベースと前記ベースから突出する複数の構造体とを有し、前記複数の構造体は、少なくとも２つの異なる材料層を有する層状の構造体であり、前記材料層は、照射方向において互いの上に配置される注入装置。
【請求項２】
前記フィルタは、互いに隣接して配置された少なくとも２つの異なる構造のフィルタ要素を備え、
前記フィルタ要素は、前記フィルタフレーム内で互いにある距離だけ離れて配置され、
前記フィルタフレームのウェブによって互いに分離されている請求項１に記載の注入装置。
【請求項３】
前記フィルタの上に配置されるか、又は前記フィルタの後で透過された前記ビーム内に配置されるコリメータ構造を更に備える請求項１に記載の注入装置。
【請求項４】
前記コリメータ構造は、長さ及び幅を有する少なくとも１本の管を備え、前記長さに対する前記幅の比は、１未満、２未満、５未満、又は１０未満である請求項３に記載の注入装置。
【請求項５】
前記フィルタに関する情報を格納する電子的に読み取り可能なメモリを更に備える請求項１に記載の注入装置。
【請求項６】
請求項５に記載の注入装置であって、
前記情報は、以下のうちの少なくとも１つを備える、
署名、
前記フィルタの許容可能な最大温度、
許容可能な最大線量。
【請求項７】
開口部を有する壁と、
前記壁の前記開口部の領域に配置され、受け部を有するフィルタホルダと、
前記フィルタホルダの前記受け部に受け入れられたフィルタフレームと、
前記フィルタフレームに保持されたフィルタであって、前記フィルタを通過するイオンビームによって照射されるように構成されたフィルタと、
を備え、
前記フィルタは、ベースと前記ベースから突出する複数の構造体とを有し、前記複数の構造体は、少なくとも２つの異なる材料層を有する層状の構造体であり、前記材料層は、照射方向において互いの上に配置される注入システム。
【請求項８】
前記フィルタホルダは、前記フィルタホルダ内に組み込まれた、又は前記フィルタホルダ上に配置された冷却装置を備える請求項７に記載の注入システム。
【請求項９】
前記冷却装置が少なくとも１つの冷却剤ラインを備える請求項８に記載の注入システム。
【請求項１０】
前記開口部の前に配置されたイオンビーム偏向システムを更に備える請求項７に記載の注入システム。
【請求項１１】
前記フィルタホルダは、非接触で前記フィルタフレームを保持し、
前記フィルタホルダは、前記フィルタフレームを保持するための少なくとも１つの磁石を備える請求項７に記載の注入システム。
【請求項１２】
注入装置を用いてイオンビームをウェハに照射することにより、前記ウェハにイオンを注入するステップを備え、
前記注入装置は、
フィルタフレームと、
前記フィルタフレームに保持されたフィルタと、を備え、
前記フィルタは、前記フィルタを通過する前記イオンビームによって照射され、
前記フィルタは、ベースと前記ベースから突出する複数の構造体とを有し、前記複数の構造体は、少なくとも２つの異なる材料層を有する層状の構造体であり、前記材料層は、照射方向において互いの上に配置されることを特徴とする、ウェハをドーピングする方法。
【請求項１３】
前記フィルタは少なくとも１つの平坦面を備え、
前記フィルタは、前記イオンビームの方向が前記平坦面に対して傾斜するように、前記イオンビームに対して方向付けられる請求項１２に記載の方法。
【請求項１４】
前記フィルタの表面積は、前記ウェハの表面積よりも大きい請求項１２に記載の方法。
【請求項１５】
前記ウェハの近くに監視構造を配置し、前記監視構造内に注入を行うステップを更に備える請求項１２に記載の方法。
【請求項１６】
前記フィルタの微細構造が前記ウェハから離れて前記イオンビームの方に向くように前記フィルタを配置するステップを更に備える請求項１２に記載の方法。
【誤訳訂正２】
【訂正対象書類名】明細書
【訂正対象項目名】００１６
【訂正方法】変更
【訂正の内容】
【００１６】
３．フィルタ移動と組み合わせた高スループット冷却システム
製造条件は、例えば、典型的にはイオン注入装置（タンデム加速器の典型的な端子電圧＞１ＭＶ〜６ＭＶ）上で１時間当たりに、約２ｘ１０１３ｃｍ−２のウェハ当たりフルエンスで６インチの直径を有する２０〜３０枚を超えるウェハを製造すべきであることを意味する。この状況で必要な枚数のウェハを製造できるようにするには、１ｐμＡ以上かつ数１０ｐμＡまでのイオン電流を使用するか、又は、数ワット以上の電力、例えば６Ｗ／ｃｍ２をフィルタ（典型的な表面積は１〜２ｃｍ２）上に投入する必要がある。これは、フィルタが熱くなることにつながる。問題は、適切な手段でフィルタを冷却することである。
【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
非一時的コンピュータ可読記憶媒体であって、当該非一時的コンピュータ可読記憶媒体に記憶された複数の命令を有し、前記命令が少なくとも１つのプロセッサによって実行されたとき、前記少なくとも１つのプロセッサに、
初期化場所のロボットの第１の配置を検出することと、
ナビゲート可能経路および周囲環境の地図を、前記初期化場所から開始する前記ロボットに対して前記ナビゲート可能経路の実演中に生成することであって、前記実演がユーザからの制御信号の受信を含む、前記生成することと、
前記地図中に少なくとも１つの誤りを検出することであって、前記少なくとも１つの誤りが、所定のパターンの有無に基づいて検出され、前記所定のパターンの有無が、ピクセル毎の基本単位又は領域毎の基本単位のいずれかによって、前記地図を評価することに基づいている、前記検出することと、
前記初期化場所の前記ロボットの第２の配置を検出することと、
前記ロボットに、前記初期化場所から前記ナビゲート可能経路の少なくとも一部分を自律的にナビゲートさせることとを行わせる、前記非一時的コンピュータ可読記憶媒体。
【請求項２】
前記少なくとも１つのプロセッサが、コンピュータ可読命令を実行して、警告通知をユーザに送信するようにさらに構成され、前記警告通知が、前記ユーザに前記ナビゲート可能経路を前記ロボットに対して実演させることに対応する、請求項１に記載の非一時的コンピュータ可読記憶媒体。
【請求項３】
前記少なくとも１つの誤りは、前記地図内の前記ナビゲート可能経路の不連続部および前記地図内の前記周囲環境の不連続部のうちの少なくとも一方を含む、請求項２に記載の非一時的コンピュータ可読記憶媒体。
【請求項４】
前記少なくとも１つのプロセッサは、コンピュータ可読命令を実行して、前記ナビゲート可能経路を自律的にナビゲートしながら一時的に配置された障害物を回避するようにさらに構成される、請求項１に記載の非一時的コンピュータ可読記憶媒体。
【請求項５】
前記少なくとも１つのプロセッサは、コンピュータ可読命令を実行して、ユーザインターフェースから前記ナビゲート可能経路の選択を受信するようにさらに構成される、請求項１に記載の非一時的コンピュータ可読記憶媒体。
【請求項６】
前記ロボットが床清掃機である、請求項１に記載の非一時的コンピュータ可読記憶媒体。
【請求項７】
前記生成された地図は、前記ナビゲート可能経路上で前記ロボットによって実施される動作の少なくとも一部を表す表示を含む、請求項１に記載の非一時的コンピュータ可読記憶媒体。
【請求項８】
前記ロボットによって実施された前記動作が床の清掃を含む、請求項７に記載の非一時的コンピュータ可読記憶媒体。
【請求項９】
ロボットを動作させる方法であって、
初期化場所の前記ロボットの初期配置を検出することと、
ナビゲート可能経路および周囲環境の地図を、前記初期化場所から開始する前記ロボットに対して前記ナビゲート可能経路の実演中に生成することであって、前記実演がユーザから制御信号を受信することを含む、前記生成することと、
前記地図中に少なくとも１つの誤りを検出することであって、前記少なくとも１つの誤りが、所定のパターンの有無に基づいて検出され、前記所定のパターンの有無が、ピクセル毎の基本単位又は領域毎の基本単位のいずれかによって、前記地図を評価することに基づいている、前記検出することと、
前記初期化場所の前記ロボットの後続配置を検出することと、
前記ロボットに、前記初期化場所から前記ナビゲート可能経路の少なくとも一部分を自律的にナビゲートさせることとを含む、前記方法。
【請求項１０】
前記地図に誤りが無いか評価することと、前記少なくとも１つの誤りに少なくとも部分的に基づいて、前記ロボットに対して前記ナビゲート可能経路を再び実演するための、ユーザへの要求を発行することをさらに含む、請求項９に記載の方法。
【請求項１１】
３次元センサを用いて前記周囲環境を検知することをさらに含む、請求項９に記載の方法。
【請求項１２】
ユーザインターフェースから前記ナビゲート可能経路の選択を受信することをさらに含む、請求項９に記載の方法。
【請求項１３】
前記ロボットに自律的にナビゲートさせることが、前記ナビゲート可能経路および前記周囲環境の前記地図を使用してナビゲートすることを含む、請求項９に記載の方法。
【請求項１４】
前記生成された地図上に、前記ナビゲート可能経路上で前記ロボットによって実施される動作をマッピングすることをさらに含み、前記動作が床を清掃することを含む、請求項９に記載の方法。
【請求項１５】
非一時的コンピュータ可読記憶媒体に記憶されたコンピュータ可読命令を有するメモリと、
少なくとも１つのプロセッサとを備えるロボットであって、
前記少なくとも１つのプロセッサが、前記コンピュータ可読命令を実行して、
ナビゲート可能経路および周囲環境の地図を、初期化場所から開始する前記ロボットに対して前記ナビゲート可能経路の実演中に生成することと
前記地図中に少なくとも１つの誤りを検出することであって、前記少なくとも１つの誤りが、所定のパターンの有無に基づいて検出され、前記所定のパターンの有無が、ピクセル毎の基本単位又は領域毎の基本単位のいずれかによって、前記地図を評価することに基づいている、前記検出することと、
前記地図を使用して前記ロボットをナビゲートすることとを実行するように構成される、前記ロボット。
【請求項１６】
前記少なくとも１つのプロセッサが、前記コンピュータ可読命令を実行して、前記ナビゲート可能経路の少なくとも一部分を自律的にナビゲートしないことを決定するようにさらに構成される、請求項１５に記載のロボット。
【請求項１７】
前記少なくとも１つのプロセッサが、前記コンピュータ可読命令を実行して、前記ロボットのセンサ範囲内の物体の少なくとも一部を示すセンサデータを生成することと、前記生成されたセンサデータに少なくとも部分的に基づいて自律的にナビゲートすることとを実行するようにさらに構成される、請求項１５に記載のロボット。
【請求項１８】
前記少なくとも１つのプロセッサが、前記コンピュータ可読命令を実行して、ブラシを作動させる信号を送信するようにさらに構成される、請求項１５に記載のロボット。
【請求項１９】
前記少なくとも１つのプロセッサが、前記コンピュータ可読命令を実行して、地図上の位置を、前記ブラシを作動させる前記信号の送信と関連付けるようにさらに構成される、請求項１８に記載のロボット。
【請求項２０】
前記少なくとも１つのプロセッサが、前記コンピュータ可読命令を実行して、前記地図をサーバに送信することによって前記サーバと通信することと、前記地図の品質を示す検証を受信することとを実行するようにさらに構成される、請求項１５に記載のロボット。
【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
無線技術に従ってデータをワイヤレスに送信する方法であって、
送信されるべきペイロードを取得するステップと、
前記ペイロードを複数のペイロードセクションに区分化するステップと、
前記複数のペイロードセクションのうちのいくつかのペイロードセクションのペイロードセクションインターバルにおいて、インターバル冗長検査情報を導出するステップであって、前記ペイロードセクションインターバルを形成する前記複数のペイロードセクションのうちの前記いくつかのペイロードセクションが2つ以上である、ステップと、
前記インターバル冗長検査情報を前記ペイロードセクションインターバルとマージして、送信のためにビットシーケンスを形成するステップと、
送信のために、エンコーダによって前記ビットシーケンスを符号化することによって単一のコードワードを生成するステップと、
前記無線技術に従って前記コードワードを送信するステップと
を含む、方法。
【請求項２】
マージするステップが、パターンに従って、前記ペイロードセクションインターバルの各々を、前記インターバル冗長検査情報と連結またはインターリーブするステップの少なくとも一方を含み、
パターンに従って、前記ペイロードセクションインターバルの各々を、前記インターバル冗長検査情報と連結するステップが、
各ペイロードセクションインターバルを一緒に連結して、インターバルペイロード部を形成するステップ、および
前記インターバルペイロード部の終端において前記インターバル冗長検査情報を連結するステップを含む、請求項1に記載の方法。
【請求項３】
前記複数のペイロードセクションインターバルをカバーするグローバル誤り検出コードを導出するステップをさらに含み、マージするステップが、前記インターバル冗長検査情報と、前記ペイロードセクションインターバルと、前記グローバル誤り検出コードとを組み合わせるステップを含む、請求項1に記載の方法。
【請求項４】
前記インターバル冗長検査情報が、リストデコーダのトレリス段階を通して1つまたは複数の正しい復号経路を決定するために前記リストデコーダによって使用可能な情報を含む、請求項1に記載の方法。
【請求項５】
前記コードワードが、テイルバイティング畳み込みコード(TBCC)符号化方式、畳み込みコード(CC)符号化方式、またはPolarコード符号化方式を使用して符号化され、前記ペイロードが制御情報を含む、請求項1に記載の方法。
【請求項６】
前記複数のペイロードセクションの第1のペイロードセクションインターバルに対する前記インターバル冗長検査情報のサイズが、前記複数のペイロードセクションの第2のペイロードセクションインターバルに対する前記インターバル冗長検査情報のサイズと異なる、請求項1に記載の方法。
【請求項７】
無線技術に従ってデータをワイヤレスに受信する方法であって、
前記無線技術に従って、コードワードを受信するステップであって、前記コードワードが、複数のペイロードセクションと、前記複数のペイロードセクションのうちのいくつかのペイロードセクションによって形成された複数のペイロードセクションインターバルであって、前記ペイロードセクションインターバルを形成する前記複数のペイロードセクションのうちの前記いくつかのペイロードセクションが2つ以上である、複数のペイロードセクションインターバルと、複数のインターバル冗長検査情報ペイロードセクションインターバルとを含む、ステップと、
前記コードワードの前記複数のペイロードセクションインターバルを復号して、復号されたコードワードを形成するステップと、
前記複数のペイロードセクションインターバルの各復号されたペイロードセクションインターバルを、その復号されたペイロードセクションインターバルに対応するペイロードセクションインターバル冗長検査情報に基づいて検証するステップとを含む、方法。
【請求項８】
前記複数のペイロードセクションインターバルが、パターンに従ってインターバル冗長検査情報とインターリーブおよび/または連結され、
前記複数のペイロードセクションインターバルの各ペイロードセクションインターバルが、インターバルペイロード部を形成するために一緒に連結されること、および
前記インターバル冗長検査情報が、前記インターバルペイロード部の終端において連結されることのうちの一つである、請求項7に記載の方法。
【請求項９】
検証するステップが、前記コードワード内に含まれるグローバル誤り検出コードに基づいて前記復号されたペイロードセクションインターバルのすべてを検証するステップを含む、請求項7に記載の方法。
【請求項１０】
前記複数のインターバル冗長検査情報ペイロードセクションインターバルが、前記コードワードを復号するために使用されるリストデコーダのトレリス段階を通して1つまたは複数の正しい復号経路を決定するために前記リストデコーダによって使用可能な情報を含む、請求項7に記載の方法。
【請求項１１】
前記複数のペイロードセクションインターバルの第1のペイロードセクションインターバルが適切に復号されなかったと決定するステップと、
前記第1のペイロードセクションインターバルの再送信の要求を送信するステップ、または
前記第1のペイロードセクションインターバルが適切に復号されておらず、より大きい復号リストサイズであったとの情報を使用して、前記第1のペイロードセクションインターバルの復号を試行するために高度な復号動作を実行するステップのうちの少なくとも一方とをさらに含む、請求項7に記載の方法。
【請求項１２】
復号するステップが、
第1のペイロードセクションインターバルに対するリストデコーダのトレリス段階を介して可能な復号経路のリストを、前記コードワードの前記複数のペイロードセクションインターバルの第1のペイロードセクションインターバルに対して決定するステップと、
前記第1のペイロードセクションインターバルに対する正しい復号経路のリストを決定するために、可能な復号経路の前記リストを、前記第1のペイロードセクションインターバルに関連付けられた第1のインターバル冗長検査情報インターバルに基づいて、プルーニングするステップとを含み、
前記第1のペイロードセクションインターバルに対する正しい復号経路の前記リストに少なくとも一部基づいて、前記第1のペイロードセクションインターバルを復号するステップ、または
前記第1のペイロードセクションインターバルに対する前記可能な復号経路のすべてがプルーニングされる場合、早期に復号を終了するステップをさらに含む、請求項7に記載の方法。
【請求項１３】
前記コードワードが、テイルバイティング畳み込みコード(TBCC)符号化方式、畳み込みコード(CC)符号化方式、またはPolarコード符号化方式を使用して符号化され、前記コードワードが制御情報を含む、請求項7に記載の方法。
【請求項１４】
請求項1〜13のいずれか一項に記載の方法を実行する手段を備える、ワイヤレス通信のための装置。
【請求項１５】
コンピュータ上での実行時に請求項1〜13のいずれか一項に記載の方法を実行するための命令を有するコンピュータプログラム。
【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
対応者によって装着され、前記対応者と機器とのインタラクションを監視するように構成されているゲートウェイデバイスであって、前記ゲートウェイデバイスは、
対応者証明書（１８）、及び、
機器データ（２０）を格納するように構成されているメモリ（３０）と、
前記メモリ（３０）と通信するプロセッサ（３２）であって、
機器から受信した機器データを、第１のプロトコルによる第１のフォーマットから第２のプロトコルによる第２のフォーマットへ変換し、変換された機器データは、コンピュータ（２２）へ中継可能であり、
前記メモリ（３０）に機器データ（２０）を登録するように構成されているプロセッサ（３２）と、
外部機器から前記機器データ（２０）を受信し、
対応者証明書（１８）を前記コンピュータ（２２）へ送信し、
前記変換された機器データ（２０）を前記コンピュータ（２２）へ送信するように構成されている送受信機（４２）と、を備える、ゲートウェイデバイス。
【請求項２】
機器データ（２００）が前記プロセッサ（３２）によって変換可能である前記機器は、携帯ラジオ、熱画像カメラ、インマスクディスプレイ、自給式呼吸器（ＳＣＢＡ）用のコンソール、及び携帯警報器（ＰＤＵ）のうちの少なくとも１つを含む、請求項１に記載のゲートウェイデバイス。
【請求項３】
前記対応者証明書（１８）は、生体データを含む、請求項１に記載のゲートウェイデバイス。
【請求項４】
閾値を上回る前記ゲートウェイデバイス（１４）の加速を検出し、前記ゲートウェイデバイス（１４）に対し前記コンピュータ（２２）と通信することを促す加速度計（３８）を更に含む、請求項１に記載のゲートウェイデバイス。
【請求項５】
対応者によって装着され、前記対応者と機器とのインタラクションを監視するように構成されているゲートウェイデバイスにおける方法であって、
対応者証明書（１８）と、機器データ（２０）と、を格納する工程（Ｓ１００）と、
機器から受信した機器データを、第１のプロトコルよる第１のフォーマットから第２のプロトコルによる第２のフォーマットへ変換する工程であって、前記変換された機器データは、コンピュータ（２２）へ中継可能である、変換する工程（Ｓ１０２）と、
外部機器から機器データを受信する工程（Ｓ１０４）と、
対応者証明書（１８）を前記コンピュータ（２２）へ送信する工程（Ｓ１０６）と、
前記変換された機器データを前記コンピュータ（２２）へ送信する工程（Ｓ１０８）と、を含む、方法。
【請求項６】
対応者の対応者証明書を検証し、機器データを前記対応者と関連付ける、コンピュータにおける方法であって、
対応者に対して登録されたゲートウェイデバイス（１４）から対応者証明書（１８）を受信する工程（Ｓ１１０）と、
前記受信した対応者証明書（１８）を検証するために、前記受信した対応者証明書（１８）を前記対応者に対応する格納された対応者証明書と比較する工程（Ｓ１１２）と、
前記ゲートウェイデバイスから機器データ（２０）を受信する工程（Ｓ１１４）と、
前記機器データ（２０）を前記対応者と関連付ける工程（Ｓ１１６）と、を含む、方法。
【請求項７】
対応者の対応者証明書を検証し、機器データを前記対応者と関連付けるように構成されているコンピュータであって、
対応者証明書（１８）、及び、
機器データ（２０）を格納するように構成されているメモリ（５０）と、
前記メモリ（５０）と通信するプロセッサ（５２）であって、
対応者に登録されたゲートウェイデバイス（１４）から対応者証明書（１８）を受信し、
前記受信した対応者証明書を検証するために、前記受信した対応者証明書（１８）を前記対応者に対応する格納された対応者証明書と比較し、
前記ゲートウェイデバイス（１４）から機器データ（２０）を受信し、
前記機器データ（２０）を前記対応者と関連付けるように構成されているプロセッサ（５２）と、を含む、コンピュータ。
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
ＰＶ層シーケンスを作り出すための方法であって、印刷方法によって
−  室温で、
−  無機コア成分が
−  水溶液および／または水分散液を使用して処理されて、
電極を介して接触が形成され得る完全なＰＶ層シーケンスを得る、方法において、前記方法が以下のステップを含むこと、すなわち
−  ステップａ）で、少なくとも２つの要素からなる、サイズ０．５〜１００マイクロメートルの半導電粒子（１００）が水性反応溶液（２００）中に分散され、酸化または還元によって部分的に溶かされ、キャリア（３００）の領域にわたって塗布され、
−  ステップｂ）で、前記反応溶液（２００）は、体積収縮で硬化反応溶液層（２０１）に変換され、前記粒子（１００）は、前記硬化反応溶液層（２０１）を越えて突出し、前記反応溶液層（２０１）中に固定された底部側と前記反応溶液層（２０１）を越えて突出する上側とを有し、
−  ステップｃ）で、前記粒子の前記上側は、少なくとも部分的に上側接触部（４００）を設けられる
ことを特徴とする方法。
【請求項２】
請求項１に記載の方法において、前記粒子（１００）は、少なくとも１つの追加のステップで、少なくとも１つの表面セクションにおいて酸化または還元調整され、それによって還元処理された粒子（１０２）の領域または酸化処理された粒子（１０３）の領域が定められることを特徴とする方法。
【請求項３】
請求項１または２に記載の方法において、さらなる方法ステップで、鎖状、網状、網状管からなる群から選択される少なくとも１つの構造を含むナノスケール構造が、好ましくは前記上側の領域セクションである、少なくとも１つの領域セクションの粒子（１００）と直接接触して形成されることを特徴とする方法。
【請求項４】
請求項１乃至３の何れか一項に記載の方法において、前記粒子（１００）の相互に隣接する領域セクションは、異なる溶液で調整されて、次に還元処理された粒子（１０２）のセクションおよび酸化処理された粒子（１０３）のセクションとして交互シーケンスで前記粒子（１００）の前記相互に隣接する領域セクションを形成することを特徴とする方法。
【請求項５】
請求項１乃至４の何れか一項に記載の方法において、少なくとも１つのさらなる方法ステップで、少なくとも１つのキャリア電極（３０１）および／または上側接触層（４００）を含む電極は、２次元材料に準備的に塗布され、最終的に前記２次元材料を通して前記ＰＶ層シーケンスに接着されることを特徴とする方法。
【請求項６】
請求項１乃至５の何れか一項に記載の方法において、前記ＰＶ層シーケンスのために使用される前記キャリアは、連続的な、平らな材料のシート、好ましくはフィルムのシートおよび／または紙のシート、より好ましくは麻紙のシートを含むことを特徴とする方法。
【請求項７】
請求項１乃至６の何れか一項に記載の方法において、粉砕された、好ましくは機械的に粉砕された、５０マイクロメートル以下の粒径を有し、好ましくは３０±１５マイクロメートルの粒径を有し、より好ましくは０．５〜１０マイクロメートルの粒径を有する粒子（１００）が使用されることを特徴とする方法。
【請求項８】
請求項１乃至７の何れか一項に記載の方法において、ステップａ）で、最大サイズ３０±１５マイクロメートルの半導電ＳｉＣ粒子（１００）が、緩やかなガスの発生を伴って、水酸化ナトリウムでアルカリ化されたシリカ溶液からなる水性反応溶液（２００）中に分散され、酸化によって部分的に溶かされ、予め塗布されたキャリア電極（３０１）を有し好ましくは追加の印刷された境界（３０２）を有するフィルムキャリアおよび／または紙キャリア（３００）のセクションの前記領域にわたって塗布され、
−  ステップｂ）で、前記反応溶液（２００）は、体積収縮で硬化反応溶液層（２０１）に変換され、前記粒子（１００）は、前記硬化反応溶液層（２０１）を越えて突出し、前記反応溶液層（２０１）中に固定された底部側と前記反応溶液層（２０１）を越えて突出する上側とを有し、
−  上側領域セクションは、酸化的または還元的に調整され、それによって還元処理された粒子（１０２）の領域または酸化処理された粒子（１０３）の領域が定められ、次に、
−  鎖状、網状、網状管からなる群から選択される少なくとも１つの構造を含むナノスケール構造、好ましくはＣＮＴ鎖および／またはハロゲン鎖が、少なくとも１つの領域セクション中の粒子（１００）と直接接触して形成され、
−  前記粒子（１００）の相互に隣接する領域セクションは、異なる溶液で調整されて、還元処理された粒子（１０２）のセクションおよび酸化処理された粒子（１０３）のセクションとして交互シーケンスで前記粒子（１００）の前記相互に隣接する領域セクションを形成し、
−  ステップｃ）で、前記粒子の前記上側は、少なくとも部分的に上側接触部（４００）を設けられ、前記粒子（１００）の前記交互に調整された領域セクションは、直列に接続され、最終的な接触電極に接着される
ことを特徴とする方法。
【請求項９】
請求項１乃至８の何れか一項に記載の方法において、前記接触電極は、埋込みフィルムの内側に印刷および／または配置され、前記方法によって得られた前記ＰＶ層シーケンスは、前記埋込みフィルム中に積層されて、前記埋込み材料から導かれる電気的接触を作り出すことを特徴とする方法。
【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
式ＬｉＮｉｘＭｎｙＣｏｚＯ２で表され、式中、ｘ≧０、ｙ≧０、ｚ≧０、及びｘ＋ｙ＋ｚ＝１であるリチウム含有粒子を製造するための方法であって、前記方法は：
リチウム塩、ニッケル塩、マンガン塩、及びコバルト塩の組み合わせを溶媒中に溶解して均質前駆体溶液を形成すること；
ＬｉＮｉｘＭｎｙＣｏｚＯ２の前記粒子に多峰性の粒度分布を発生させるために、異なる径を有する液滴の２つ以上の流れを生成する液滴生成器を用いて、制御されたサイズを有する前記均質前駆体溶液の液滴を生成すること；
前記液滴をマイクロ波生成プラズマシステム中に導入すること；
前記マイクロ波生成プラズマからミクロン又はサブミクロンスケールのＬｉＮｉｘＭｎｙＣｏｚＯ２の粒子を作製すること；
ＬｉＮｉｘＭｎｙＣｏｚＯ２の前記粒子を捕集すること；
前記粒子上にシェル構造を形成するために前記粒子を被覆することであって、前記シェル構造がカーボン又はアルミナを含むこと；並びに
前記被覆をした後の前記粒子でスラリーを形成して、リチウムイオン電池材料を形成すること
を含む、方法。
【請求項２】
前記マイクロ波生成プラズマシステム中における前記液滴の滞留時間を制御することをさらに含む、請求項１に記載の方法。
【請求項３】
前記粒子を捕集することが、前記粒子を急冷することを含む、請求項１又は２に記載の方法。
【請求項４】
前記マイクロ波生成プラズマシステムが、酸素ガス又は酸素含有ガスを使用するように構成される、請求項１〜３のいずれか１項に記載の方法。
【請求項５】
前記導入することが、前記液滴を、前記マイクロ波生成プラズマシステムのマイクロ波生成プラズマ又は前記マイクロ波生成プラズマのアフターグロー領域内に導入することを含む、請求項１〜４のいずれか１項に記載の方法。
【請求項６】
前記導入することが、前記液滴を、前記マイクロ波生成プラズマシステムの前記アフタ
ーグロー領域内に導入することを含む、請求項５に記載の方法。
【請求項７】
前記液滴が、約２％の粒度分布を有する、請求項１〜６のいずれか１項に記載の方法。
【請求項８】
第一の異なる径を有する前記液滴の第一のセットが第一の均一なサイズを有し、かつ、第二の異なる径を有する前記液滴の第二のセットが第二の均一なサイズを有する、請求項１〜７のいずれか１項に記載の方法。
【請求項９】
前記被覆することが、反応チャンバー内に酸素を含有するガスの混合物を流すこと、前記反応チャンバー内に前記粒子を導入すること、及び熱源を通ってノズルに前記粒子及び前記混合物が指向されることを含み、前記熱源が前記粒子上にシェルを形成するために前記ガスを分解する、請求項１〜８のいずれか１項に記載の方法。
【請求項１０】
前記ガスがアセチレンを含み、かつ、前記シェルがカーボンを含む、請求項９に記載の方法。
【請求項１１】
式ＬｉＮｉｘＣｏｙＡｌｚＯ２で表され、式中、ｘ＝約０．８、ｙ＝約０．１５、ｚ＝約０．０５であるリチウム含有粒子を製造するための方法であって、前記方法は：
リチウム塩、ニッケル塩、コバルト塩、及びアルミニウム塩の組み合わせを溶媒中に溶解して均質前駆体溶液を形成すること；
ＬｉＮｉｘＣｏｙＡｌｚＯ２の前記粒子に多峰性の粒度分布を発生させるために、異なる径を有する液滴の２つ以上の流れを生成する液滴生成器を用いて、均一なサイズの前記均質前駆体溶液の液滴を生成すること；
前記均一なサイズの液滴をマイクロ波生成プラズマシステム中に導入すること；
前記マイクロ波生成プラズマからミクロン又はサブミクロンスケールのＬｉＮｉｘＣｏｙＡｌｚＯ２の粒子を作製すること；
ＬｉＮｉｘＣｏｙＡｌｚＯ２の前記粒子を捕集すること；
前記粒子上にシェル構造を形成するために前記粒子を被覆することであって、前記シェル構造がカーボン又はアルミナを含むこと；並びに
前記被覆をした後の前記粒子でスラリーを形成して、リチウムイオン電池材料を形成すること
を含む、方法。
【請求項１２】
前記マイクロ波生成プラズマシステム中における前記液滴の滞留時間を制御することをさらに含む、請求項１１に記載の方法。
【請求項１３】
前記粒子を捕集することが、前記粒子を急冷することを含む、請求項１１又は１２に記載の方法。
【請求項１４】
前記マイクロ波生成プラズマシステムが、酸素ガス又は酸素含有ガスを使用するように構成される、請求項１１〜１３のいずれか１項に記載の方法。
【請求項１５】
前記導入することが、前記液滴を、前記マイクロ波生成プラズマシステムのマイクロ波生成プラズマ又は前記マイクロ波生成プラズマのアフターグロー領域内に導入することを含む、請求項１１〜１４のいずれか１項に記載の方法。
【請求項１６】
前記導入することが、前記液滴を、前記マイクロ波生成プラズマシステムの前記アフターグロー領域内に導入することを含む、請求項１５に記載の方法。
【請求項１７】
前記液滴が、約２％の粒度分布を有する、請求項１１〜１６のいずれか１項に記載の方
法。
【請求項１８】
第一の異なる径を有する前記液滴の第一のセットが第一の均一なサイズを有し、かつ、第二の異なる径を有する前記液滴の第二のセットが第二の均一なサイズを有する、請求項１１〜１７のいずれか１項に記載の方法。
【請求項１９】
前記被覆することが、反応チャンバー内に酸素を含有するガスの混合物を流すこと、前記反応チャンバー内に前記粒子を導入すること、及び熱源を通ってノズルに前記粒子及び前記混合物が指向されることを含み、前記熱源が前記粒子上にシェルを形成するために前記ガスを分解する、請求項１１〜１８のいずれか１項に記載の方法。
【請求項２０】
前記ガスがアセチレンを含み、かつ、前記シェルがカーボンを含む、請求項１９に記載の方法。